(57)【要約】【課題】複数の入力端子を持つ画像表示装置において、入力を切り換えてから当該映像信号が表示されるまでの動作を高速化することを目的とする。【解決手段】入力映像信号毎に映像信号の種類を判別する映像信号判別部を設け、第１の映像信号を表示すると同時に、非表示側の映像信号の種類を第２の映像信号判別部１１０で判別し、第２の映像信号を画像表示部１００に表示するために第２の映像信号処理部１０５の設定を予め行っておく。かつ、映像信号処理部への設定は、当該入力映像信号の状態の変化を検出するまでは行わないように構成して、冗長な処理を行わないようにする。【選択図】  図１
2004219726.tif 000002
【特許請求の範囲】
【請求項１】
入力された映像信号を表示手段に表示する画像表示装置であって、映像信号を入力するための複数の映像信号入力端子と、前記映像信号入力端子より入力された映像信号を処理する複数からなる映像信号処理手段と、前記映像信号処理手段より出力される映像信号を選択する選択手段と、前記選択手段によって選択された映像信号を表示する画像表示手段と、それぞれの前記映像信号処理手段より入力され、それぞれの映像信号の種類を判別する複数からなる映像信号判別手段を具備し、前記選択手段によって選択された入力映像信号を前記表示手段によって表示すると同時に、前記選択手段によって非選択とした非表示入力映像信号の種類を前記信号判別手段によって判別して、非表示入力映像信号側の映像信号処理手段の設定を行い、前記選択手段によって選択状態になった場合は、直ちに前記画像表示手段に画像を表示できる状態に設定しておくことを特徴とする画像表示装置。
【請求項２】
入力映像信号について、前記映像信号判別手段によって信号の種類の判定を定期的に行うと共に、前記画像表示手段に画像を表示できる状態に映像信号処理手段の設定を一度行った後は、前記映像信号判別手段によって入力映像信号の種類が変わったり、無信号状態になったりといった信号状態の変化を検出するまで、前記映像信号処理手段の設定を変更しないことを特徴とする請求項１記載の画像表示装置。
【発明の詳細な説明】
【０００１】
【発明の属する技術分野】
本発明は、異なった形式の映像信号を入力する複数の映像信号入力端子を有する画像表示装置であって、入力映像信号の切り換えと表示の高速化を図る画像表示装置に関するものである。
【０００２】
【従来の技術】
近年、ビデオディスクプレーヤーなどの映像機器の充実とパーソナルコンピューターなどの普及により、幾つもの種類の映像信号を入力して表示できる画像表示装置の要望が高まってきている。
【０００３】
図４は複数の映像信号が入力できる画像表示装置の一例として液晶パネルを用いた投写型画像表示装置の一例の構成を示した構成図である。
【０００４】
図４において、１は液晶パネル、２は液晶パネル１を照明するための光源、３は光源２より照射された光を反射させるための反射鏡、４は光源２より照射された光および反射鏡３で反射された光を集光するための集光レンズ、５は液晶パネル１上に表示された映像を拡大投写するための投写レンズ、６はスクリーン、１１は入力された第１の映像信号を処理して一定の信号形式に変換する第１の映像信号処理部、１２は第１の映像信号より同期信号を生成する第１の同期信号処理部、１３は入力された第２の映像信号を処理して一定の信号形式に変換する第２の映像信号処理部、１４は第２の映像信号より同期信号を生成する第２の同期信号処理部、１５は第１の映像信号処理部１１の出力映像信号と第２の映像信号処理部１３の出力映像信号を切り換えるための映像信号切り換え部、１６は同様に第１の同期信号処理部１２の出力同期信号と第２の同期信号処理部１４の出力同期信号を切り換えるための同期信号切り換え部、１７は映像信号切り換え部１５で選択された信号を液晶パネル１に表示させる垂直画素数および水平画素数に変換する画素数変換部、１８は同期信号切り換え部１６で選択された同期信号より入力映像信号の種類を判別する映像信号判別部、１９は映像切り換え信号の入力によって映像信号判別部１８の信号判別結果より第１または第２の映像信号処理部１１、１３、画素数変換部１７の設定と映像信号切り換え部１５、同期信号切り換え部１６の制御を行う映像表示制御部、２０は画素数変換部１７の出力映像信号と同期信号より液晶パネル１を駆動するための液晶パネル駆動部である。
【０００５】
図４に示したような画像表示装置では、入力されている映像信号を液晶パネル１に表示できるようにするために、映像信号判別部１８で当該映像信号の同期信号の水平走査周波数や垂直走査周波数などを測定することによって入力されている映像信号の種類を判別し、第１の映像信号処理部１１や第２の映像信号処理部１３や画素数変換部１７を制御していた。
【０００６】
例えば第１の映像信号が複合映像信号であるとした時、第１の映像信号処理部１１は複合映像信号を処理して赤色、緑色、青色の各原色信号に変換すると共に信号レベルの調整、クロック信号の発生などを行う。そして、第１の同期信号処理部１２で水平および垂直同期信号が再生される。また、第２の映像信号がＲＧＢ信号であるとした時、第２の映像信号処理部１３は信号レベルの調整、クロック信号の発生などを行い、第２の同期信号処理部１４で同様に水平および垂直同期信号を再生する。映像表示制御部１９は、映像切り換え信号によって液晶パネル１に表示する入力映像信号が設定されると、映像信号切り換え部１５と同期信号切り換え部１６を切り換えて当該入力映像信号が所望の信号処理部に入力されるように設定する。次に映像信号判別部１８は、入力された映像信号の同期信号について垂直周波数、水平周波数、同期信号の極性などといった特徴を検出して、映像信号の種類を判別し、判別した映像信号に対して、第１または第２の信号処理部１１、１３と画素数変換部１７が動作できるような設定を行う。画素数変換部１７は、入力された様々な形式の映像信号を液晶パネル１に表示できるようにするために、液晶パネル１の垂直画素数と水平画素数に合わせた画素数に変換し、液晶パネル駆動部２０によって液晶パネル１に画像が表示される。
【０００７】
従来の画像表示装置の映像信号判別と処理方法の一例としては特開平７−９９６１５号公報に記載されたものがある。特開平７−９９６１５号公報に記載された画像表示装置は画像表示部がブラウン管であって、図４に示した液晶パネルを用いた画像表示装置とは構成が異なっているが、信号判別方法や処理方法は同様である。
【０００８】
【特許文献１】
特開平７−９９６１５号公報
【０００９】
【発明が解決しようとする課題】
上記したような従来の方式の画像表示装置では、映像切り換え信号によって映像信号切り換え部１５および同期信号切り換え部１６で液晶パネル１に表示させる映像信号を選択した後で、選択された入力映像信号について信号信号判別部１８でその映像信号の種類を判別し、第１または第２の信号処理部１１、１３、画素数変換部１７が動作できるような設定を行っていた。ここで、映像信号の種類の判別を正確に行うためには、垂直同期周期の数期間が必要であるので、時間を要していた。このために、表示する映像信号の切り換えを行うときに、表示する映像信号の種類を判別して、各処理部の設定を行うのに時間が必要であり、画像表示装置の入力切り換え操作を開始してから、映像が表示されるまでに時間が必要であった。
【００１０】
本発明は、上記したような課題を鑑み、複数の映像信号入力手段を有する画像表示装置において、入力信号を切り換える場合に入力切り換え操作を開始してから映像が表示されるまでの時間が極めて短い画像表示装置を提供することを目的としている。
【００１１】
【課題を解決するための手段】
上記した課題を解決するために第１の発明の画像表示装置は、入力された映像信号を表示手段に表示する画像表示装置であって、映像信号を入力するための複数の映像信号入力端子と、前記映像信号入力端子より入力された映像信号を処理する複数からなる映像信号処理手段と、前記映像信号処理手段より出力される映像信号を選択する選択手段と、前記選択手段によって選択された映像信号を表示する画像表示手段と、それぞれの前記映像信号処理手段より入力され、それぞれの映像信号の種類を判別する複数からなる映像信号判別手段を具備し、前記選択手段によって選択された入力映像信号を前記表示手段によって表示すると同時に、前記選択手段によって非選択とした非表示入力映像信号の種類を前記信号判別手段によって判別して、非表示入力映像信号側の映像信号処理手段の設定を行い、前記選択手段によって選択状態になった場合は、直ちに前記画像表示手段に画像を表示できる状態に設定しておくことを特徴とする。
【００１２】
上記のように第１の発明の画像表示装置によれば、選択した映像信号を表示すると同時に、非選択とした映像信号の種類を判別して、非選択とした側の入力映像信号の映像信号処理手段の設定を予め行い、前記画像表示手段に画像を表示できる状態に設定しておくことで、入力信号切り換え時に極めて短い時間で表示画像を切り換えることができるという効果が得られる。
【００１３】
第２の発明の画像表示装置は、入力映像信号について、前記映像信号判別手段によって信号の種類の判定を定期的に行うと共に、前記画像表示手段に画像を表示できる状態に映像信号処理手段の設定を一度行った後は、前記映像信号判別手段によって入力映像信号の種類が変わったり、無信号状態になったりといった信号状態の変化を検出するまで、前記映像信号処理手段の設定を変更しないことを特徴とする。
【００１４】
上記のように第２の発明の画像表示装置によれば、映像信号処理手段の設定を一度行った後は、入力映像信号の状態の変化を検出するまでは、前記映像信号処理手段の設定を行わないようにすることで装置内の処理を簡単にすることが可能となり、信号判別処理および信号処理部の冗長な処理や設定を省略化して、高速な入力信号切り換えを実現することができる。
【００１５】
【発明の実施の形態】
以下、本発明の実施形態について図面を用いて説明する。
【００１６】
（実施の形態）
図１は本発明の一実施形態にかかる画像表示装置の一例の構成を示した構成図である。
【００１７】
図１において１００は入力された映像信号を表示するための画像表示部、１０１は第１の入力端子、１０２は第２の入力端子、１０３は第１の入力端子より入力された第１の映像信号を処理して一定の信号形式に変換する第１の映像信号処理部、１０４は第１の映像信号より同期信号を生成する第１の同期信号処理部、１０５は第２の入力端子より入力された第２の映像信号を処理して一定の信号形式に変換する第２の映像信号処理部、１０６は第２の映像信号より同期信号を生成する第２の同期信号処理部、１０７は第１の映像信号処理部１０３の出力と第２の映像信号処理部１０５の出力信号を選択する映像信号切り換え部、１０８は同様に第１の同期信号処理部１０４と第２の同期信号処理部１０６の出力同期信号を切り換えるための同期信号切り換え部、１０９は第１の同期信号処理部１０４の出力同期信号より第１の映像信号の種類を判別する第１の映像信号判別部、１１０は第２の同期信号処理部１０６の出力同期信号より第２の映像信号の種類を判別する第２の映像信号判別部、１１１は第１および第２の映像信号判別部１０９、１１０の出力信号より第１および第２の映像信号処理部１０３、１０５と画像サイズ変換部１１２（後述）を制御するための映像表示制御部、１１２は映像信号切り換え部１０７で選択された信号を画像表示部１００に表示させる垂直画素数および水平画素数に変換する画像サイズ変換部、１１３は画素数変換部１１２の出力映像信号と同期信号より画像表示部１００を駆動するための画像表示部駆動部である。
【００１８】
以下、図面を参照しながら本発明の一実施形態にかかる画像表示装置の動作について説明する。
【００１９】
一般に画像表示装置に入力される映像信号は、輝度信号と色信号を表す信号方式、水平走査周波数、垂直走査周波数、水平画素数、垂直画素数などといった信号方式が様々であり、これらの映像信号を正しく画像表示部１００に表示させるには、第１および第２の映像信号処理部１０３、１０５を入力された映像信号の種類に対応できるように正しく設定しなければならない。また、画像表示部１００に例えば液晶表示パネルのように垂直方向と水平方向の表示画素数が固定されている方式の画像表示部を用いた場合には、画像サイズ変換部１１２の設定も入力映像信号の種類に応じて必要である。
【００２０】
以下、本発明の一実施形態にかかる画像表示装置の動作を詳しく説明するために、異なった種類の映像信号が第１の入力端子１０１と第２の入力端子１０２より入力されており、第１の入力端子１０１より入力した映像信号を表示している場合を例にして説明していく。
【００２１】
第１の入力端子１０１より入力された映像信号について、第１の同期信号処理部１０４で水平同期信号および垂直同期信号を再生し、第１の映像信号判別部１０９に入力する。加えて、入力信号が複合映像信号である場合は、第１の映像信号処理部１０３で輝度信号に重畳されている色信号の特徴を検出してカラー信号方式の判別を合わせて行い、第１の映像信号処理部１０９に入力する。映像信号の水平走査周波数、垂直走査周波数およびカラー信号方式は規格で決まっているので、第１の映像信号処理部１０９は、第１の同期信号処理部より入力された水平同期信号および垂直同期信号の周波数測定、第１の映像信号処理部１０３より入力されたカラー信号方式信号のうち少なくとも１種類以上の情報を用いることで入力された映像信号の種類を判別することができる。
【００２２】
第１の映像信号判別部１０９で第１の映像信号の種類を判別した結果は、映像表示制御部１１１に入力される。映像表示制御部１１１は、第１の映像信号判別部１０９で判別した入力映像信号の種類に基づき、第１の映像信号処理部１０３で第１の映像信号が正しく処理されるように、第１の映像信号処理部１０３の設定を行う。同時に画像サイズ変換部１１２に対して制御信号を送り、画像サイズ変換部１１２を第１の映像信号の水平画素数と垂直画素数を画像表示部１００が持つ水平画素数と垂直画素数に合うように変換するように設定する。また、同期信号の周波数も変換した画素数に合うように変換する。
【００２３】
画像表示駆動部１１３は画素数変換部１１２で変換された映像信号と同期信号より画像表示部１００に画像を表示させるための映像信号とタイミング信号を作成し、画像表示部１００を駆動する。
【００２４】
第１の映像信号を表示している一方で、同時に非表示としている第２の入力端子１０２より入力されている第２の映像信号について、第２の映像信号処理部１０５、第２の同期信号処理部１０６で、第２の映像信号のカラー信号方式の検出や水平同期信号、垂直同期信号の再生を行い、これらの情報によって、第２の映像信号判別部１１０で上記した第１の映像信号に対する処理と同様にして第２の映像信号の種類を判別する。そして、第２の映像信号判別部１１０で判別した第２の映像信号の種類の情報を映像表示制御部１１１に入力し、映像表示制御部１１１で第２の映像信号処理部１０５の設定を行っておく。
【００２５】
このように第１の入力端子より入力された第１の映像信号を画像表示部１００で表示している一方で、第２の入力端子より入力された第２の映像信号の種類を判別し、第２の映像信号処理部１０３の設定を完了しておくことで、表示する入力信号を切り換える時に改めて入力信号の種類の判別を行う必要がなく、画素数変換部１１２の設定を変更するだけで高速に表示する画像を切り換えることができる。
【００２６】
また、第１および第２の入力信号の種類の判別は、信号状態の変化を検出するために短い間隔で定期的に行う必要があり、信号状態の変化を検出した場合は入力信号種類の判別結果に従って第１および第２の映像信号処理部１０３、１０４の設定を変更する必要があるここで、入力信号種類を判別する間隔が長いと、第１および第２の映像信号処理部１０３、１０４の設定を変更する間隔が長くなってしまい、入力信号を切り換えてから入力信号の種類を判別する従来の方法より表示画像を高速に切り換えることができる、という本発明の効果が損なわれてしまう。しかし、一方で短い間隔で常時入力信号種類の判別と映像信号処理部１０３、１０４の設定を行っていたのでは、この処理に時間がかかってしまい、他の処理ができなくなってしまうという課題が生じる。
【００２７】
そこで、本発明の第１の実施形態にかかる画像表示装置では、入力映像信号の種類の判定を定期的に行うと共に、第１および第２の映像信号処理部１０３、１０４の設定を一度行った後は、表示入力映像信号の種類が変わったり、無信号状態になったりといった信号状態の変化を検出するまで、非表示入力信号側の前記映像信号処理手段の設定を変更しないように構成している。
【００２８】
図２は上記した本発明の一実施形態にかかる画像表示装置の動作の一例を説明するためのフローチャートである。また、図３は図２のフローチャートにおいて非表示側の信号処理の詳細を説明するためのフローチャートである。なお、図２、図３において、便宜上、画像表示部１００に画像を表示している側の各処理部を「表示側」、表示していない側の各処理部を「非表示側」と称す。
【００２９】
図２のフローチャートに示したように表示側の信号処理は、後述する非表示側の信号処理（ステップ（Ｓ）１００）のあと、入力切り換えの有無を判断する（Ｓ１１）。入力切り換えがない場合は、表示側の入力信号の有無を判断する（Ｓ１２）。表示側の入力信号が無い場合は、無信号時に対応した処理（Ｓ２７）を行い元に戻る。表示側の入力信号がある場合は、表示側の信号の種類を判別し（Ｓ１３）、入力信号の状態変化の有無を判断する（Ｓ１４）。信号状態に変化がある場合は、表示側映像信号処理部の設定変更（Ｓ１５）、画像サイズ変換部の設定変更（Ｓ１６）を行って、画像表示部１００に映像表示を行う（Ｓ１７）。Ｓ１４で信号状態に変化が無かった場合は、Ｓ１５、Ｓ１６を実行せずにＳ１７の映像表示を行う。入力切り換え有無の判断（Ｓ１１）で入力切り換えが実行されていた場合は、映像信号切り換え部１０７と同期信号切り換え部１０８を切り換えて表示側信号と非表示側信号を切り換え（Ｓ３５）、画像サイズ変換部の設定を切り換えた側の信号に対応する設定に変更する（Ｓ３６）。
【００３０】
図３のフローチャートに示したように非表示側の信号処理（Ｓ１００）は、非表示側の入力信号の有無を判断し（Ｓ１０１）、入力信号がある場合は、非表示側の入力信号の種類を判別し（Ｓ１０２）、非表示側の入力信号の状態変化の有無を判断する（Ｓ１０３）。信号状態に変化がある場合は、非表示側映像信号処理部の設定変更（Ｓ１０４）を行ってメインルーチンに戻るが、変化がない場合はＳ１０４を実行せずにメインルーチンに戻る。Ｓ１０１で入力信号が無かった場合は、無信号状態に応じた処理（Ｓ１１４）を行ってメインルーチンに戻る。
【００３１】
このように入力信号の有無の判別と種類の判別によって、入力信号の状態の変化を検出し、入力信号の状態が変化しない場合については第１および第２の映像信号処理部１０３、１０４の設定を変更しないように構成することで、信号判別処理および信号処理部の冗長な設定を省略化して、高速な入力信号切り換えを実現することができる。
【００３２】
なお上記したフローチャートの説明では、入力信号の有無の判別と入力信号の種類の判別の両方を行って入力信号状態の変化を検出するように説明したが、少なくともその一方を行うことによって入力信号状態の変化を検出し、その後に残りの判別を行うように構成しても同様の効果を得ることができる。
【００３３】
以上のように本実施形態によれば、一方の入力映像信号を表示すると同時に、非表示側の入力信号の種類を判別し、予め非表示側の映像信号処理部の設定を行っておくことで、入力信号切り換え時に改めて信号種類の判別や映像信号処理部の設定を行う必要が無く、映像表示の切り換えを高速に行うことができるという効果が得られる。
【００３４】
また、映像信号処理部の設定について、入力映像信号の状態が変化していないときは、設定を再度行うことをしないように構成することで、同じ設定を繰り返し行うことを無くし、高速な入力信号切り換えを行うことができるという効果が得られる。
【００３５】
なお、本実施例では入力端子が２系統である場合について説明をしたが、これに限られるわけではなく２系統以上ある場合についても同様であることは明らかである。また、本実施例では画像サイズ変換部を１つだけ設けた場合について説明したが、信号系統毎に個別の画像サイズ変換部を設置しても良いことは明らかである。この場合は、画像サイズ変換部の設定を事前に行っておくことが可能になるので、入力信号切り換え速度のより一層の高速化が期待できる。
【００３６】
【発明の効果】
以上のように本発明によれば、複数の入力端子を有する画像表示装置において、一つの入力端子より入力された映像信号を表示すると同時に、他の入力端子より入力されている映像信号の種類を判別し、予め非表示側の映像信号処理部の設定を行うと共に、入力映像信号の状態が変化していない時は、当該映像信号処理部の設定を繰り返し行うことを無くするように構成することによって、入力信号切り換えを高速に行うことができ、極めて短い時間で表示画像を切り換えることができるという優れた効果がある。
【図面の簡単な説明】
【図１】本発明の一実施形態にかかる画像表示装置の構成を示したブロック図
【図２】同装置の表示側の信号処理の動作を説明するためのフローチャート
【図３】同装置の非表示側の信号処理の動作を説明するためのフローチャート
【図４】従来の画像表示装置の一例の構成を示したブロック図
【符号の説明】
１００  画像表示部
１０１  第１の入力端子
１０２  第２の入力端子
１０３  第１の映像信号処理部
１０４  第１の同期信号処理部
１０５  第２の映像信号処理部
１０６  第２の同期信号処理部
１０７  映像信号切り換え部
１０８  同期信号切り換え部
１０９  第１の映像信号判別部
１１０  第２の映像信号判別部
１１１  映像表示制御部
１１２  画素数変換部
１１３  画像表示部駆動部
【図１】
2004219726.tif 000003
【図２】
2004219726.tif 000004
【図３】
2004219726.tif 000005
【図４】
2004219726.tif 000006